(57)【要約】      （修正有）【課題】被介護者が褥創等を有する場合でも患部に影響をほとんど与えずに被介護者の体位変換を容易にすることのできる介護用衣類を提供する。【解決手段】ガウン１０の背部外面に、該ガウンの肩幅よりも大きな幅を有しかつ該ガウンの丈よりも短い長さを有するシーツ２０が取り付けられてなることを特徴とする。前記シーツは、前記ガウンの背部外面における左右肩幅それぞれの中央付近の身長方向に略平行な二線上にて縫止され、該シーツの左右両側部は少なくとも介護者が掴み動かすことで被介護者の体動を可能にする掴部２４を形成する。【選択図】図１
0003166076.tif 000002
【実用新案登録請求の範囲】
【請求項１】
ガウンの背部外面に、該ガウンの肩幅よりも大きな幅を有し且つ該ガウンの丈よりも短い長さを有するシーツが取り付けられてなることを特徴とする介護用衣類。
【請求項２】
前記シーツは、その上端が前記ガウンの襟下１０ｃｍ以内の背部外面に位置するように取り付けられる、請求項１記載の介護用衣類。
【請求項３】
前記シーツは、前記ガウンの背部外面における左右肩幅それぞれの中央付近の身長方向に略平行な二線上にて縫止され、該シーツの左右両側部は少なくとも介護者が掴み動かすことで被介護者の体動を可能にする掴部を形成する、請求項１又は２記載の介護用衣類。
【請求項４】
前記シーツは、その上下両端部が、前記ガウンの背部外面における幅方向に略平行な二線上にて縫止され、その縫止部は前記身長方向に略平行な二線上の縫止部間の範囲内にある、請求項３記載の介護用衣類。
【請求項５】
前記ガウンは、吸湿性の綿地からなる、請求項１〜４の何れかに記載の介護用衣類。
【考案の詳細な説明】
【技術分野】
【０００１】
本考案は、主として体位変換のための介護用衣類に関し、詳細には、ガウンの背部外面にシーツを設けることにより、褥創等を有する場合でも患部に影響をほとんど与えず被介護者の体位変換等を容易にする介護用衣類に関する。
【背景技術】
【０００２】
自力で体動が出来ないもしくは困難な人（以下、「被介護者」ともいう）は、介護施設や家庭で褥創を作ることが多い。このような褥創を作った被介護者を施設、家庭において介助する場合や、被介護者が病院に入院した場合においてもその介助が非常に困難となる。褥創の出現は、被介護者がベッドや敷布団等の上で同体位を長時間続けることにより、局所の圧迫、栄養不足、湿潤等に起因すると考えられている。このため、介護者による２〜３時間ごとの被介護者の体位変換は、欠くことのできない介護行為となっている。
【０００３】
このような状況下において、病院等では、介護者による体位変換や、褥創予防用のエアマット、クッション等を使用し、褥創予防、軽快、治療等に努めている。
【０００４】
特に、被介護者の体位変換については、被介護者が痩身、小柄な人の場合ならば介護者２人ほどで然程苦なしに行われているが、被介護者の身長、体重、体の状態によっては、容易に行うことができないこともある。具体的には、被介護者が、身長の高い人、体重の重い人、皮膚が弱くビランし易い人、骨折し易い人等の場合は、介護者２人では介助が非常に困難かつ重労働になり、介護者の腰痛等を引き起こす原因となっている。それが夜間の場合や、在宅介護の場合には、尚更大変である。
【０００５】
そこで、被介護者の背部にバスタオルを敷き、介護者が被介護者の左右からそのバスタオルを持って体動させることにより、少ない力で体位変換を可能とし、介護者の腰への負担を少なくできる方法も考えられる。しかし、バスタオルにシワやヨレができた場合、被介護者の褥創悪化の原因になることが予想され、現場での実施は控えられている。
【０００６】
また、従来から、被介護者の体位変換に関する種々のものが提案されている。例えば、特許第４２１６５５０号公報（特許文献１）では、介護者自身の介助なしに、簡単な操作で容易に体位変換を可能にする目的で、寝返り困難な被介護者の下に敷いて寝返り動作を補助する筒状に形成された回転可能な介護用敷布団が提案されている。
【０００７】
しかしながら、上記特許文献１に開示の敷布団では、介護者の負担は少なくなるものの、被介護者の体位変換に際して局所の力加減等繊細な介護には不適であり、特に褥創を持つ被介護者にとっては却って患部を悪化させるおそれもある。また、このような介護用敷布団では、敷布団自体に体位変換のための特殊な工夫がなされているため、介護用敷布団を設置するためのコストの問題から利用に限界がある。
【０００８】
また、これ以外にも介護用ベッドやシーツなどに着目した被介護者の体位変換に関するものは多く提案されているが、被介護者及び介護者の両者にとって満足できる介護用品は存在しないのが実情である。このため、介護者の負担が少なく、被介護者の褥創を予防ないし悪化を防止して体位変換等を容易に行うことのできる介護用品が望まれていた。
【先行技術文献】
【特許文献】
【０００９】
【特許文献１】特許第４２１６５５０号公報
【考案の概要】
【考案が解決しようとする課題】
【００１０】
本考案は、上記のような問題点を解決するためになされたもので、介護者の負担が少なく、且つ被介護者が褥創等を有する場合でも患部に影響をほとんど与えずに被介護者の体位変換を容易にすることのできる介護用品を提供することを目的とする。
【課題を解決するための手段】
【００１１】
本考案者は、鋭意研究した結果、特定衣の背部外面に特定の布を設けてなる衣類が、その背部外面にシワやヨレが生じにくく、前記目的を達成し得ることの知見を得た。
【００１２】
本考案は、前記知見に基づきなされたもので、以下の考案を提供するものである。
１．ガウンの背部外面に、該ガウンの肩幅よりも大きな幅を有し且つ該ガウンの丈よりも短い長さを有するシーツが取り付けられてなることを特徴とする介護用衣類。
【００１３】
２．前記シーツは、その上端が前記ガウンの襟下１０ｃｍ以内の背部外面に位置するように取り付けられる、前記１記載の介護用衣類。
【００１４】
３．前記シーツは、前記ガウンの背部外面における左右肩幅それぞれの中央付近の身長方向に略平行な二線上にて縫止され、該シーツの左右両側部は少なくとも介護者が掴み動かすことで被介護者の体動を可能にする掴部を形成する、前記１又は２記載の介護用衣類。
【００１５】
４．前記シーツは、その上下両端部が、前記ガウンの背部外面における幅方向に略平行な二線上にて縫止され、その縫止部は前記身長方向に略平行な二線上の縫止部間の範囲内にある、前記３記載の介護用衣類。
【００１６】
５．前記ガウンは、吸湿性の綿地からなる、前記１〜４の何れかに記載の介護用衣類。
【考案の効果】
【００１７】
本考案の介護用衣類（本考案に係る前記１の介護用衣類）によれば、上述した構成を有しているので、介護者の腰部等への負担を軽減することが可能になり、被介護者が褥創等を有する場合でも患部に影響をほとんど与えずに被介護者の体位変換を容易にすることができ、さらには場所に依存することなく、低コストで、病院や介護施設だけでなく、一般家庭でも広く利用することが可能である。
【００１８】
本考案に係る前記２の介護用衣類は、上述した構成により、被介護者の体位変換の際に、ガウンの肩周辺のもりあがりの影響を受けず、被介護者の体の動きに伴うシーツのシワやヨレができにくく、褥創の発生を防止することができる。
【００１９】
本考案に係る前記３の介護用衣類は、上述した構成を有しているので、介護者がシーツの掴部を掴むことにより被介護者の体位変換を容易に行うことができ、介護者側の労力を軽減すると共に、腰等への負担も減らすことが可能になり、また被介護者の体の動きに伴うシーツのシワやヨレができにくい。
【００２０】
本考案に係る前記４の介護用衣類は、ガウンの背部外面における身長方向と幅方向にシーツの４辺を縫止させることにより、シーツとガウンのシワやヨレが発生しやすい範囲内を固定させて、そのシワやヨレを防止することができる。
【００２１】
本考案に係る前記５の介護用衣類は、上述した構成を有しているので、吸湿性を有する綿地からなるガウンが被介護者の汗等を吸収して褥創等の発生や悪化を抑制することができる。
【考案を実施するための形態】
【００２２】
以下、本考案について、その好ましい実施形態に基づき図面を参照して説明する。
【００２３】
図１は、本考案の一実施形態に係る介護用衣類を示す概略正面図であり、図２は、本考案の一実施形態に係る介護用衣類を示す概略背面図である。また図３は、本考案の一実施形態に係る介護用衣類の使用例を示す概略図である。
【００２４】
本実施形態に係る介護用衣類は、図１及び図２に示すように、ガウン１０の背部外面に、該ガウン１０の肩幅よりも大きな幅を有し且つ該ガウン１０の丈よりも短い長さを有するシーツ２０が取り付けられてなる介護用衣類１００である。
【００２５】
本実施形態に用いられるガウン１０は、図１及び図２に示すように、右前身頃１１、左前身頃１２、右後身頃１３、左後身頃１４が縫い合わせられるか、又は一体化されており、右前身頃１１と右後身頃１３には右袖部１５、そして、左前身頃１２と左後身頃１４には左袖部１６が形成された一般的な室内衣ないし着物様の構成になっている。本実施形態では、ガウン１０として、Ｌ寸ガウン（丈１２０〜１３０ｃｍ）のものを例に挙げている。
【００２６】
また、ガウン１０としては、被介護者の汗等を吸収して褥創の発生や悪化を抑制することができる点から、吸湿性の綿地からなる素材のものが好ましく用いられる。その他、ガウン１０の素材としては、前記の綿のほか、ガーゼ、ポリエステル、オーガニック等を用いてもよい。
【００２７】
なお、ガウン１０の形状は、本実施形態では前述した通りの室内衣の形状であるが、特にこれに限定されることなく、本考案の趣旨を逸脱しない範囲内において適宜変更可能である。
【００２８】
本実施形態に用いられるシーツ２０は、薄地でシワになりにくく、かさばりにくく、またガウン１０に縫い付けて介護用衣類１００とした場合にも洗濯し易く、その際かさばらなくて乾燥し易いものである。また、シーツ２０は、ガウン１０に対して特定の縫い付けが施されているため、被介護者が着用して体位変換が行われる際にもシワになりにくく、被介護者の身体に触れる部分にかかる圧迫の力も小さい。
【００２９】
シーツ２０の大きさは、図１に示すように、長さｄ１をガウン１０の着用者である被介護者の身長の３分の２程度とし、幅ｄ２をベッド幅（シングル）の範囲内とするのが、体位変換をより容易に行うことができる点で好ましい。本実施形態では、シーツ２０の長さｄ１が９０〜９５ｃｍ、幅ｄ２が７０〜８０ｃｍの範囲のものを例に挙げている。
【００３０】
シーツ２０は、図２に示すように、その上端がガウン１０の襟１７からａ＝５（ｃｍ）下の背部外面に位置するように縫い付けられている。ガウン１０の襟１７からのシーツ２０の上端の位置ａは、１０ｃｍ以内であることが好ましく、特に４〜６（ｃｍ）であることが更に好ましい。
【００３１】
また、シーツ２０は、ガウン１０の背部外面における左右肩幅それぞれの中央部１９，１９付近の身長方向に略平行な二線上にて縫止されている（縦方向（身長方向）縫止部２２，２２）。これにより、シーツ２０の左右両側部は少なくとも介護者が掴み動かすことで被介護者の体動を可能にする掴部２４，２４が形成される。
【００３２】
掴部２４は、ガウン１０とシーツ２０が縫止されていないシーツ２０の右側部と左側部それぞれに設けられるものであり、介護者が該掴部２４を掴み、必要な動作をすることで被介護者の体位変換を容易に行うことができる。
【００３３】
左右の縦方向縫止部２２，２２は、左右の肩幅中央部１９，１９付近において身長方向と平行な方向にそれぞれｂ（ｃｍ）の長さで施されている。縦方向縫止部２２の長さｂは、好ましくは９０〜９５ｃｍで施される。
【００３４】
また、シーツ２０は、その上下両端部が、ガウン１０の背部外面における幅方向に略平行な二線上にて縫止され（横方向（幅方向）縫止部２１，２１）、その縫止部は身長方向に略平行な二線上の縫止部２２，２２間の範囲内にある。これにより、ガウン１０とシーツ２０が一体となったシーツ固定部２３を形成することで、被介護者の動きに伴うシーツのヨレやシワを防ぐことが可能になり、褥創悪化の防止につながる。
【００３５】
ガウン中央部１８（ガウン１０の左右を分ける身長方向の中央線）から左右の肩幅中央部１９，１９にかけて、身長方向と垂直な方向（幅方向）にそれぞれｃ（ｃｍ）の長さでシーツ２０の上下両端部それぞれに横方向（幅方向）縫止部２１，２１が形成されている。ガウン中央部１８からの左右の各横方向縫止部２１の長さｃは、好ましくは１８〜２２ｃｍである。
【００３６】
本実施形態では、シーツ２０はＬ（大）サイズのガウン１０の大きさに対応したものを用いているが、本考案においては、体交用シーツはガウンの大きさ（例えば、Ｓ（小）サイズ、Ｍ（中）サイズ）に対応して縫止されることで、被介護者の体型に依存することなく、身体の大きい人でも小さな人でも利用が可能である。
【００３７】
シーツ２０とガウン１０の背部外面との固定部は、ガウンとベッドとの接触面積のうち７０％〜８０％の範囲内にあることが、体位交換をより容易に行うことができる点で望ましい。
【００３８】
シーツ２０の素材としては、薄地で耐久性の高い綿やポリエステル等が用いられ、ガウン１０に縫止されていても容易に洗濯することができる。
【００３９】
なお、シーツ２０の縫止方法は、本実施形態では、ガウン１０の身長方向と平行かつ垂直に、シーツ２０の４辺を縫止させる方法であるが、特にこれに限定されることなく、本考案の要旨を変更しない範囲内で可能である。また、例えば、シーツ２０とガウン１０の分離を防ぐために、４辺が縫止されたシーツ固定部２３内に更に縫止を加えることなど、好ましく行うことができる。
【００４０】
本実施形態に係る介護用衣類１００を用いて被介護者の体位変換を行う場合は、図３に示すように、被介護者が介護用衣類１００を着用した状態において、シーツ２０の左右両側部に形成された掴部２４，２４を、二人の介護者が被介護者の左右からそれぞれ両手で掴み、被介護者を左右に動かすことにより体位変換を行う。具体的には、右側臥位にするときは、被介護者の右側に立つ介護者が手を伸ばしてシーツ２０をベッドの左側にもっていくようにし、被介護者の左側に立つ介護者がシーツ２０を手前に引き、被介護者を右側になるように転がすような感じにする。一方、左側臥位にするときは、これと反対のことをする。左右の介護者がシーツ２０の掴部２４，２４を持って、介護用衣類１００を身に付けた被介護者ごと持ちあげて、それぞれ同じ方向に被介護者を移動させるようにする。
【００４１】
また、体交に際して被介護者の背部にクッションを差し込む場合は、クッションの上に本実施形態の介護用衣類１００をおいて着用し、体位交換を行うことができる。
【００４２】
本実施形態によれば、介護者が掴部２４を利用できるため、被介護者の体位変換を容易に行うことができ、介護者の腰部等への負担を軽減することが可能になる。本実施形態の介護用衣類１００は、被介護者の体位変換の際には通常二人の介護者により行われるものであるが、在宅や施設において一人の介護者が体位変換を行う際にも負担が少ないものである。また、ガウン１０の背部外面と体交用のシーツ２０が一体となったシーツ固定部２３が設けられているため、ベッドと背中の接触部分は被介護者の体の動きに伴うシーツのヨレやシワにならず、褥創悪化を防ぐことができる。
【図面の簡単な説明】
【００４３】
【図１】図１は、本考案の一実施形態に係る介護用衣類を示す概略正面図である。
【図２】図２は、本考案の一実施形態に係る介護用衣類を示す概略背面図である。
【図３】図３は、本考案の一実施形態に係る介護用衣類の使用例示す概略図である。
【符号の説明】
【００４４】
１００・・介護用衣類
１０・・・ガウン
１１・・・右前身頃
１２・・・左前身頃
１３・・・右後身頃
１４・・・左後身頃
１５・・・右袖部
１６・・・左袖部
１７・・・襟
１８・・・ガウン中央部
１９・・・肩幅中央部
２０・・・シーツ
２１・・・横方向縫止部
２２・・・縦方向縫止部
２３・・・シーツ固定部
２４・・・掴部
【図１】
0003166076.tif 000003
【図２】
0003166076.tif 000004
【図３】
0003166076.tif 000005